(57)【特許請求の範囲】
【請求項１】
利用者の公開レベルを登録した利用者管理テーブルと、
公開レベルを付与した情報のリストを登録する情報管理テーブルと、
公開レベルを付与した情報を登録するデータベースと、
利用者ＩＤを入力した情報のリスト表示要求に対応して、上記利用者管理テーブルから利用者ＩＤの公開レベルを取り出し、上記情報管理テーブルから検索してこの公開レベルによって権限有りとされた情報のリストを取り出し、この取り出したリストを表示させる情報リストチェック手段と、
上記表示されたリストから選択された情報の表示指示に対応して、利用者ＩＤの公開レベルをもとに上記データベースを検索して情報に付与されている公開レベルと比較して権限有りとされた情報のみを取り出す内容チェック手段とを備え、
権限有りとされた情報のみを取り出して表示することを特徴とする情報管理装置。
【請求項２】
上記権限有りとされた情報のみを取り出して表示し、この表示や提供した部分の課金のみを集計する課金手段を備えたことを特徴とする請求項１に記載の情報管理装置。
【請求項３】
公開レベルを付与した情報中から関連する関連情報に公開レベルを付与して登録するデータベースと、
表示された情報上で、関連情報の表示指示された情報について上記データベースを検索して取り出した関連情報の公開レベルと、利用者ＩＤの公開レベルとを比較して権限有りの関連情報のみを表示させる関連情報チェック手段とを備えたことを特徴とする請求項１に記載の情報管理装置。
【発明の詳細な説明】
【０００１】
【産業上の利用分野】
本発明は、情報を管理する情報管理装置に関するものである。
【０００２】
【従来の技術】
従来、利用者が端末から回線を介してセンタのデータベースをアクセスして情報やプログラムの提供を受ける場合、センタから送られてきたメニュー上に表示されたリスト中から所望の情報やプログラムを選択し、選択した情報やプログラムの提供を受けるようにしていた。
【０００３】
また、リストから選択した情報やプログラムの有償による提供を要求した場合、センタから公開レベルに応じた部分を空白にした情報やプログラムを返信して表示したり、あるいは使用して処理を実行していた。
【０００４】
また、情報やプログラムを提供する際に、全体に対する課金を表示して請求していた。
【０００５】
【発明が解決しようとする課題】
従来は上述したように、リスト中から所望の情報やプログラムを選択し、センタが選択された情報やプログラムのうちから公開レベルに応じて提供できない部分を空白にして返信して表示させていたため、表示画面上で非公開の部分が空白となって不自然となってしまう問題があると共に、非公開の部分が存在することを知らせてしまい不快感を与えるという問題があった。
【０００６】
また、リスト中から選択した情報やプログラムの全体の課金を表示して請求していたため、１頁しか見ていないのに係わらず、全頁の例えば１００頁分の課金を請求されてしまい、融通がきかず、不便でその安価かつ簡易な利用を妨げる理由となってしまう問題があった。
【０００７】
本発明は、これらの問題を解決するため、メニュー上に利用者の公開レベルをもとに権限のあるリストのみを表示したり、表示や提供した部分のみ課金したり、情報のうちの権限のある内容や関連情報のみを表示や提供することを目的としている。
【０００８】
【課題を解決するための手段】
図１は、本発明の原理ブロック図を示す。
図１において、センタ１は、データベース８の情報やプログラムを利用者に提供などするものであって、管理装置２、データベース８、利用者管理テーブル９、および情報管理テーブル１０から構成されるものである。
【０００９】
管理装置２は、データベース８の情報やプログラムなどを管理するものであって、情報リストチェック手段３、メニュー生成手段４、内容チェック手段５、課金手段６、および関連情報チェック手段７から構成されるものである。
【００１０】
情報リストチェック手段３は、利用者管理テーブル９から利用者ＩＤの公開レベルを取り出し、この公開レベルによって権限有りとされた情報のリストを情報管理テーブル１０から検索して取り出すものである。
【００１１】
メニュー生成手段４は、権限有りとして取り出したリストをもとに動的にメニューを生成するものである。
内容チェック手段５は、利用者ＩＤの公開レベルをもとにデータベース８を検索して情報に付与されている公開レベルと比較して権限有りとされた情報の内容のみを取り出すものである。
【００１２】
課金手段６は、表示や提供した部分の課金のみを集計するものである。
関連情報チェック手段７は、データベース８を検索して取り出した関連情報の公開レベルと、利用者ＩＤの公開レベルとを比較して権限有りの関連情報のみを取り出すものである。
【００１３】
データベース８は、情報、関連情報などを検索し易く保存したものである。
利用者管理テーブル９は、利用者の公開レベルを登録したものである。
情報管理テーブル１０は、情報の公開レベルを登録したものである。
【００１４】
端末１１は、利用者が操作して検索依頼などをセンタ１に通知したり、検索結果を表示などするものである。
【００１５】
【作用】
本発明は、図１に示すように、利用者ＩＤを入力した情報のリスト表示要求に対応して、情報リストチェック手段３が利用者管理テーブル９から利用者ＩＤの公開レベルを取り出し、この公開レベルによって権限有りとされた情報のリストを情報管理テーブル１０から検索して取り出し、この取り出したリストを表示させるようにしている。
【００１６】
この際、メニュー生成手段４が情報リストチェック手段３によって権限有りとして情報管理テーブル１０から取り出された情報のリストをもとに動的にメニューを生成し、この生成したメニューを端末１１の画面上に表示し、利用者に提示するようにしている。
【００１７】
また、利用者から情報の表示指示に対応して、内容チェック手段５が利用者ＩＤの公開レベルをもとにデータベース８を検索して情報に付与されている公開レベルと比較して権限有りとされた情報のみを取り出し、この取り出した情報の内容を端末１１の画面上に表示するようにしている。
【００１８】
また、権限有りとされた情報のみを取り出して表示されたことに対応して、課金手段６がこの表示された部分についてのみ課金を集計するようにしている。
また、表示された情報上で、関連情報の表示指示された情報について、関連情報チェック手段７がデータベース８を検索して取り出した関連情報の公開レベルと、利用者ＩＤの公開レベルとを比較して権限有りの関連情報のみを取り出し、端末１１の画面上に表示するようにしている。
【００１９】
従って、利用者の公開レベルをもとに権限のあるリストのみをチェックして動的にメニューを作成して表示したり、権限のある情報の内容のみを抽出して表示したり、表示や提供した情報の部分のみを課金したり、情報の関連情報のみを表示や提供することが可能となった。
【００２０】
【実施例】
次に、図２から図１８を用いて本発明の実施例の構成および動作を順次詳細に説明する。
【００２１】
図２は、本発明の動作説明フローチャートを示す。
図２において、Ｓ１は、検索を依頼する。これは、利用者が図１の端末１１を操作して検索依頼を回線を介してセンタ１に通知する。
【００２２】
Ｓ２は、検索する。
Ｓ３は、情報リストのチェックを行う。これらＳ２、Ｓ３は、Ｓ１で検索依頼を受けたセンタ１が検索依頼した利用者ＩＤをもとに利用者管理テーブル９から公開レベルを取り出し、この取り出した公開レベルと、情報管理テーブル１０中の情報リストに付加されている公開レベルとを比較し、権限が有りとされた情報のリストのみを抽出する。
【００２３】
Ｓ４は、メニュー生成する。これは、Ｓ３で権限有りとされた情報のリストのみを取り出し、見やすい形のメニューを作成する。これにより、従来の非公開とされた情報のリストの部分を空白として非公開のリストがあると利用者に不快感を与えるようなメニューではなく、非公開リストが存在する手掛かりを与えることのないメニューを公開レベルに応じて動的に作成できることとなる。
【００２４】
Ｓ５は、メニュー選択する。これは、Ｓ４で動的に作成したメニューを回線を介して端末１１に返信してディスプレイ上に情報のリストのメニューを表示させ、利用者が任意の情報のリストを選択する。
【００２５】
Ｓ６は、情報料を表示する。これは、Ｓ５で利用者がメニュー上から選択した情報のリストの通知を受けたセンタ１が情報料を返信し、メニュー上にその情報料を表示する。
【００２６】
Ｓ７は、概要を表示する。これは、情報の概要や要約を表示する。
Ｓ８は、内容表示を指示する。これは、Ｓ６で情報料、Ｓ７で概要表示を見た利用者が情報の内容の表示を指示する。
【００２７】
Ｓ９は、情報内容のチェックを行う。これは、Ｓ８で利用者が内容表示を指示したことに対応して、センタ１が指示を受けた情報の内容に付加されている公開レベルと、利用者の公開レベルとを比較し、権限のある情報の内容のみを抽出する。
【００２８】
Ｓ１０は、内容を表示する。これは、Ｓ９で権限有りとされた情報の内容のみを端末１１に返信してディスプレイ上に表示する。
Ｓ１１は、表示範囲を移動する。これは、Ｓ１０で情報の内容の表示を見た利用者が、例えば次の頁の表示範囲に移動などして必要な頁を表示する。例えば全体で１００頁あった場合、先頭の第１頁から第５頁まで表示範囲を移動する。
【００２９】
Ｓ１２は、表示の課金を算出する。これは、Ｓ１１で利用者が表示範囲として移動した範囲の例えば第１頁から第５頁までの合計５頁分の課金を算出する。これにより、従来は情報単位、ここでは１００頁分の情報料を課金していたが、本実施例では実際に表示させた５頁分の情報料の課金のみとなり、利用者は情報を使い易くなり、結果として使用頻度が増大することとなる。
【００３０】
Ｓ１３は、提供範囲を指定する。これは、利用者が実際に見た表示範囲の他に、更に提供範囲を必要に応じて指定する。
Ｓ１４は、提供の課金を算出する。これは、Ｓ１３で利用者が指定した提供範囲分の課金を算出する。
【００３１】
Ｓ１５は、部分を提供する。これは、Ｓ１０からＳ１２で実際に表示した情報の内容、あるいはＳ１３とＳ１４で提供範囲を指定した情報の内容のみの部分を提供する。
【００３２】
以上によって、利用者が端末１１を操作して検索を依頼したことに対応して、センタ１が利用者の公開レベルをもとに権限のある情報のリストを情報管理テーブル１０から取り出して動的にメニューを作成し、端末１１のディスプレイ上に表示させる。利用者はこのメニューから選択したことに対応して、センタ１が利用者の公開レベルをもとに権限のある情報の内容のみを抽出し、端末１１のディスプレイ上に表示させる。利用者はこの表示された情報の内容のうち見たい頁のみを表示移動して見たことに対応して、この表示範囲のみの課金を計算したり、更に提供範囲を指定したことに対応して、当該提供範囲のみの課金を計算したりし、その提供範囲のみをセンタ１が表示や提供することが可能となった。以下順次詳細に説明する。
【００３３】
図３は、本発明の情報のリストのチェックフローチャートを示す。これは、図２のＳ３の情報リストのチェックの詳細な手順を示したものである。
図３において、Ｓ２１は、利用者ＩＤを入力する。これは、右側に記載したように、利用者が端末１１を操作して利用者ＩＤとしてここでは、“００１”を入力する。
【００３４】
Ｓ２２は、利用者管理テーブル９の参照による利用者の公開レベルの取出しを行う。これは、右側に記載したように、例えば後述する図５の利用者管理テーブル９を参照して、利用者ＩＤ“００１”の公開レベル“０”を取り出す。ここで、公開レベルの数値が小さい程、権限が高い。
【００３５】
Ｓ２３は、情報管理テーブル１０の参照による情報の公開レベルの取出しを行う。これは、右側に記載したように、例えば後述する図６の情報管理テーブル１０を検索して、情報コード“Ａ００１”の公開レベル“２”を取り出す。
【００３６】
Ｓ２４は、権限ありか判別する。これは、利用者の公開レベルが情報の公開レベルと同じあるいは小さく、権限がありか判別する。ＹＥＳの場合には、Ｓ２５で情報リストの表示可の確定をする。この確定に対応して、権限有りと確定した情報のリストについて動的に見やすいメニューを作成し、これのメニューを回線を介して端末１１に返信してディスプレイ上に表示させる。一方、ＮＯの場合には、情報リストの権限が無いと判明したので、利用者から検索要求のあった情報リストの表示を行わない。
【００３７】
以上によって、利用者が端末１１上で利用者ＩＤを入力して情報リストの検索依頼に対応して、センタ１が利用者の公開レベルと、情報リストの公開レベルとを比較して権限のある情報のリストのみを抽出して表示可と確定し、この確定した情報リストを動的にメニュー作成し、端末１１のディスプレイ上に表示する。これにより、利用者に権限のある情報リストのみのメニューを見せることが可能となる。
【００３８】
図４は、本発明の公開レベル例を示す。これは、部門種別に付与する公開レベルを予め設定したものである。例えば図示の下記のように設定する。
部門種別                                公開レベル
社内のみ                                ０
ＳＥ会社まで                            １
関係・関連会社および主要協力会社まで    ２
その他の協力会社まで                    ３
ここで、公開レベルは、数値の小さい程、権限が高い。
【００３９】
図５は、本発明の利用者管理テーブル例を示す。この利用者管理テーブル９は、利用者ＩＤに対応づけて図示の下記のように、氏名、所属名（部門名）、公開レベルなどを予め登録したものである。
【００４０】
利用者ＩＤ        ００１          ０１５
氏名              平賀  正樹      高矢  章子
所属名（部門名）  システム部      （株）ＦＪ京葉システム
公開レベル        ０              １
図６は、本発明の情報管理テーブル例を示す。この情報管理テーブル１０は、情報コード（情報リスト）に対応づけて図示の下記のように、公開レベル、情報名（資料名）、情報料などを予め登録したものである。
【００４１】
情報コード        Ａ００１        Ｂ０１３
公開レベル        ２              ０
情報名（資料名）  商品カタログ集  商談事例集
情報料            ￥８，０００    ￥３，０００
図７は、本発明の情報内容のチェックフローチャートを示す。
【００４２】
図７において、Ｓ３１は、情報を選択する。これは、図３のＳ２５で権限有りとして確定された情報のリスト表示のうちから情報の内容を見たいものを１つ選択する。
【００４３】
Ｓ３２は、情報内の公開レベルの取出しを行う。これは、Ｓ３１で端末１１で利用者が選択した情報を回線を介して通知を受けたセンタ１が、当該情報をデータベース８から検索し、情報に付加されている公開レベル（例えば公開レベル“１”）を取り出す。ここで、公開レベルの数値の小さい程、利用者からはアクセスしにくいことを表す。
【００４４】
Ｓ３３は、権限ありか判別する。これは、Ｓ３２で情報から取り出した公開レベルが、利用者の公開レベルと等しい、あるいは大きくて情報の内容をアクセスする権限ありか判別する。ＹＥＳの場合には、権限ありと判明したので、Ｓ３４で情報内容を回線を介して端末１１に返信してディスプレイ上に表示する。一方、ＮＯの場合には、情報の内容を表示しない。これらにより、リスト選択した情報の内容のうち、権限のある情報の内容のみが返信され、端末１１のディスプレイ上に表示され、これを利用者は見たり、利用することができる。
【００４５】
以上によって、権限有りとされた情報リスト中から選択した情報の内容をデータベース８から検索し、付加されている公開レベルを参照して利用者の公開レベルで権限有りとされた情報の内容のみを取出し、返信して端末１１のディスプレイ上に表示し、利用者が見たり、利用したりすることが可能となる。
【００４６】
図８は、本発明のメニュー生成フローチャートを示す。
図８において、Ｓ４１は、検索依頼を行う。ここでは、キーワード“事例”を指定した検索依頼を回線を介してセンタ１に通知する。
【００４７】
Ｓ４２は、センタ１がＳ５１の検索依頼を受け付ける。
Ｓ４３は、情報の公開レベルを取り出す。これは、キーワード“事例”について、情報管理テーブル１０を検索して公開レベルを取り出す。
【００４８】
Ｓ４４は、利用者の公開レベルを取り出す。これは、利用者ＩＤをもとに利用者管理テーブル９を参照して公開レベルを取り出す。
Ｓ４５は、権限ありか判別する。これは、Ｓ４４で取り出した利用者の公開レベルが、Ｓ４３でキーワード“事例”について検索して取り出した情報の公開レベルと等しいあるいは小さくて権限ありか判別する。ＹＥＳの場合には、Ｓ４６に進む。ＮＯの場合には、終了する。
【００４９】
Ｓ４６は、情報リストをストックする。
Ｓ４７は、リストのメニューを生成する。これは、キーワードをもとに検索した情報リストのうち権限のあるもののリストを集め、これらリストを見やすくしたメニューを動的に生成する。
【００５０】
Ｓ４８は、Ｓ４７で生成したメニューを回線を介して端末１１に送信する。
Ｓ４９は、端末１１のディスプレイ上にリストのメニュー、例えば後述する図９に示すようなメニューを表示する。
【００５１】
Ｓ５０は、Ｓ４９で表示したリストのメニュー中から利用者が１つを選択する。
Ｓ５１は、Ｓ５０の選択に対応して、選択したリストの通知を受けたセンタ１がデータベース８からそのリストの情報の内容を検索する。
【００５２】
Ｓ５２は、Ｓ５１で検索した情報の内容の情報料を算出する。
Ｓ５３は、Ｓ５２で算出した情報料を端末１１に通知してディスプレイ上に情報料を表示する。
【００５３】
Ｓ５４は、Ｓ５３の情報料を見た利用者が了解した旨の応答をセンタに通知する。
Ｓ５５は、Ｓ５４の応答に対応して、センタ１がデータベース８から取り出した情報の内容を端末１１に送信する。
【００５４】
Ｓ５６は、概要を表示する。
以上によって、利用者からキーワードを指定して検索依頼に対応して、センタ１はこの指定されたキーワードに合致する情報リストの公開レベルを情報管理テーブル１０から取り出すと共に、利用者管理テーブル９を参照して利用者の公開レベルを取出し、利用者の公開レベルで権限のある情報のリストのみを抽出し、動的に見やすいメニューを作成する。この作成したメニューを端末に返信して表示し、利用者がそのうちから選択した情報リストの通知を受けたセンタ１がデータベース８を検索して情報に付加されている公開レベルを参照し、権限のある情報の内容のみを取出し、情報料を端末１１のディスプレイ上に表示し、ＯＫの応答があったときにその情報の内容を返信して表示する。これらにより、利用者からのキーワードを指定した検索指示に対応して、権限のある情報リストのみのメニューを動的に作成して表示したり、更に、権限のある情報の内容のみを表示したりし、利用者に空白などで非公開として不快感を与えることなく、公開レベルに応じて情報リストおよび情報内容を表示したり、提供することが可能となる。
【００５５】
図９は、本発明の生成メニュー例を示す。このメニューは、図８のＳ４７で生成された例であって、ここでは図示の下記の項目のメニューを作成する。
・キーワード：事例（利用者が検索依頼したときのキーワード）
・情報リスト一覧：（キーワードで検索した情報リストの一覧）
１：商談事例集
２：研究事例集
３：開発事例集
図１０および図１１は、本発明の内容表示および関連情報表示フローチャートを示す。
【００５６】
図１０において、Ｓ６１は、センタ１がメニューのリストを送信する。
Ｓ６２は、リストメニューを端末１１のディスプレイ上に表示する。
Ｓ６３は、利用者がリストメニュー上で情報を選択する。
【００５７】
Ｓ６４は、検索する。これは、Ｓ６３で選択されたセンタ１に通知された情報のリストをもとにデータベース８から情報を検索する。
Ｓ６５は、情報料を算出する。
【００５８】
Ｓ６６は、Ｓ６５で通知された情報料を端末１１のディスプレイ上に表示する。
Ｓ６７は、Ｓ６６で表示された情報料を見た利用者からＯＫの旨の応答を受け取ったセンタ１がその情報を送信する。
【００５９】
Ｓ６８は、概要を表示する。
Ｓ６９は、内容表示の指示を行う。
Ｓ７０は、Ｓ６９で内容表示の指示の応答の通知を受けたセンタ１が情報内容の公開レベルを取り出す。これは、データベース８から検索して取り出した情報内容に付与されている公開レベルを取り出す。
【００６０】
Ｓ７１は、利用者の公開レベルを取り出す。
Ｓ７２は、権限有りか判別する。これは、Ｓ７１で取り出した利用者の公開レベルと、Ｓ７０で取り出した情報の公開レベルとを比較し、情報の公開レベルが等しいあるいは大きいものを権限ありと判別する。ＹＥＳの場合には、Ｓ７３で権限ありと判別された情報の内容のみを抽出し、Ｓ７４で端末１１に送信する。一方、ＮＯの場合には、権限なしと判別されたので、一部の情報が権限なしと判別されたときはその情報の内容を送信しない、あるいは全部の情報が権限なしと判別されたときは情報の内容を全く送信せずに、情報なしの応答を端末１１に通知する。
【００６１】
Ｓ７５は、内容を表示する。これは、Ｓ７４で送信されてきた情報を端末１１のディスプレイ上に表示する。
Ｓ７６は、関連情報の表示を指示する。これは、Ｓ７５で表示した情報の内容中の情報を選択して更に関連情報の表示を指示する。
【００６２】
Ｓ７７は、Ｓ７６の関連情報の表示指示の通知を受けたセンタ１がデータベース８を検索する。
図１１のＳ７８は、情報料を算出する。これは、Ｓ７７で検索した関連情報の情報料を算出する。
【００６３】
Ｓ７９は、情報料を表示する。これは、Ｓ７８で算出された情報料を端末１１に通知し、端末１１のディスプレイ上に表示する。
Ｓ８０は、情報を送信する。
【００６４】
Ｓ８１は、概要を表示する。
Ｓ８２は、内容表示を指示する。
Ｓ８３は、Ｓ８２で内容表示の指示の応答の通知を受けたセンタ１が関連情報内容の公開レベルを取り出す。これは、データベース８から検索して取り出した関連情報内容に付与されている公開レベルを取り出す。
【００６５】
Ｓ８４は、利用者の公開レベルを取り出す。
Ｓ８５は、権限有りか判別する。これは、Ｓ８４で取り出した利用者の公開レベルと、Ｓ８３で取り出した関連情報の公開レベルとを比較し、関連情報の公開レベルが等しいあるいは大きいものを権限ありと判別する。ＹＥＳの場合には、Ｓ８６で権限ありと判別された関連情報の内容のみを抽出し、Ｓ８７で端末１１に送信する。一方、ＮＯの場合には、権限なしと判別されたので、一部の関連情報が権限なしと判別されたときはその関連情報の内容を送信しない、あるいは全部の関連情報が権限なしと判別されたときは関連情報の内容を全く送信せずに、関連情報なしの応答を端末１１に通知する。
【００６６】
Ｓ８８は、内容を表示する。これは、Ｓ８７で送信されてきた関連情報を端末１１のディスプレイ上に表示する。
以上によって、リストメニュー上から選択した情報リストの情報の情報料および概要を表示し、利用者がＯＫしたときに利用者の公開レベルで権限のある情報の内容を抽出し、端末１１のディスプレイ上に表示し、利用者は見たり利用する。更に、情報の中に関連情報が在った場合に同様にして、概要表示および情報料を表示し、利用者がＯＫしたときに利用者の公開レベルで権限のある関連情報の内容を抽出し、端末１１のディスプレイ上に表示し、利用者は見たり利用する。これらにより、情報の内容の権限のある部分のみを抽出して利用者に表示したり、使用させることができ、更にその情報の内容の関連情報も同様に利用者の権限内で表示したり、使用させることが可能となった。
【００６７】
図１２は、本発明の情報データベース例を示す。これは、データベース８に登録する情報の例であって、
＜課金始  ￥５００＞
＜公開レベル＝０＞
○○○○○  ○○○○○  ○○○○○
○○○○○  ○○○○○  ○○○○○
○○○○○  ○○○○○  ○○○○○
＜公開レベル終＞
＜公開レベル＝２＞
□□□□□  □□□□□  □□□□□
□□□□□  □□□□□  □□□□□
＜公開レベル終＞
＜課金終＞
を組として登録したものである。従って、ここで、＜課金始  ￥５００＞は課金（情報料）が５００円であることを表し、＜公開レベル＝０＞は公開レベルが“０”であることを表し、○○○・・・○は実際の情報の内容を表し、＜公開レベル終＞は１組の情報の終わりを表し、同様に以下表す。
【００６８】
図１３は、本発明の表示画面例を示す。これは、端末１１のディスプレイ上に表示された表示画面例であって、ここでは、図１２の情報データベースがデータベース８に登録されている場合に、公開レベル“１”の利用者に対して表示される例を示す。即ち、利用者の公開レベルが“１”であるので、図１２の情報データベースを検索し、公開レベルが等しい“１”および低い２以上の情報として、図示の下記のように取り出し、これを利用者が見やすいように編集して端末１１のディスプレイ上に表示した表示画面である。
【００６９】
＜課金始  ￥５００＞
＜公開レベル＝２＞
□□□□□  □□□□□  □□□□□
□□□□□  □□□□□  □□□□□
＜公開レベル終＞
＜課金終＞
＜課金始  ￥７００＞
＜公開レベル＝１＞
△△△△△  △△△△△  △△△△△
△△△△△  △△△△△  △△△△△
△△△△△  △△△△△  △△△△△
△△△△△  △△△△△  △△△△△
＜公開レベル終＞
＜課金終＞
次に、図１４から図１７を用いて情報の内容中に関連情報がある場合の情報デーテベースおよび表示画面例について具体的に説明する。
【００７０】
図１４は、本発明の情報データベース例を示す。ここで、関連情報１、関連情報２、関連情報３は、情報の内容中に関連情報１、関連情報２、関連情報３が存在する旨が登録されている。この図１４で関連情報２を指定すると、図１５に示すような関連情報データベースが検索されることとなる。
【００７１】
図１５は、本発明の関連情報データベース例を示す。これは、図１５の関連情報２を指定して検索して見やすくまとめた例である。この関連情報は、情報の内容と同様に、
＜課金始  ￥８００＞
＜公開レベル＝３＞
●●●●●  ●●●●●  ●●●●●
●●●●●  ●●●●●  ●●●●●
＜公開レベル終＞
＜課金終＞
を組として登録したものである。
【００７２】
図１６は、本発明の表示画面例を示す。これは、公開レベル“１”の利用者に対して表示される例であって、図１４の情報データベースから公開レベル“１”の利用者に権限がある下記の情報の内容を取出し、見やすく表示したものである。
【００７３】
＜課金始  ￥５００＞
＜公開レベル＝２＞
□□□□□  □□□□□  □□□□□
□□□□□  関連情報２  □□□□□
＜公開レベル終＞
＜課金終＞
＜課金始  ￥７００＞
＜公開レベル＝１＞
△△△△△  △△△△△  △△△△△
△△△△△  △△△△△  △△△△△
関連情報３  △△△△△  △△△△△
△△△△△  △△△△△  △△△△△
＜公開レベル終＞
＜課金終＞
図１７は、本発明の関連情報表示画面例を示す。これは、公開レベル“１”の利用者が図１６の表示画面上で関連情報２を指定して関連情報の内容表示指示に対して表示される例であって、図１５の関連情報２の関連情報中から公開レベル“１”および値の大きい権限のある下記の関連情報の内容を取出し、見やすく表示したものである。
【００７４】
＜課金始  ￥８００＞
＜公開レベル＝３＞
●●●●●  ●●●●●  ●●●●●
●●●●●  ●●●●●  ●●●●●
＜公開レベル終＞
＜課金終＞
＜課金始  ￥４００＞
＜公開レベル＝１＞
■■■■■  ■■■■■  ■■■■■
■■■■■  ■■■■■  ■■■■■
■■■■■  ■■■■■  ■■■■■
＜公開レベル終＞
＜課金終＞
図１８は、本発明の課金算出・提供フローチャートを示す。
【００７５】
図１８において、Ｓ９１は、センタ１が権限ありと判明した情報の内容を端末に送信する。
Ｓ９２は、内容を表示する。これは、Ｓ９１で送信されてきた情報の内容を端末１１のディスプレイ上に表示し、利用者が見たり、使用したりする。
【００７６】
Ｓ９３は、表示範囲を移動させる。
Ｓ９４は、Ｓ９３の表示範囲の移動の通知を受けたセンタ１が表示した部分の課金を算出する。例えば頁単位に課金を算出する。
【００７７】
Ｓ９５は、課金をストック（集計）する。
Ｓ９６は、利用者が端末１１のディスプレイ上で情報の内容の提供範囲を指定する。
【００７８】
Ｓ９７は、Ｓ９６で指定された提供範囲の課金を算出する。
Ｓ９８は、Ｓ９７で指定された提供範囲の課金をストックする。
Ｓ９９は、情報を送信する。
【００７９】
Ｓ１００は、Ｓ９９で送信されてきた情報（全体、あるいは部分）を受信する。
Ｓ１０１は、センタ１が課金の請求を端末１１に通知する。
【００８０】
Ｓ１０２は、Ｓ１０１の課金の請求を端末１１が受信する。
以上によって、利用者が権限ありとしてセンタ１から送信されてきてディスプレイ上に表示して見たり、使用した情報の内容のその部分のみ（例えば全体が１００頁あるとき１頁から５頁までの５頁分）の課金を算出して請求することが可能となる。
【００８１】
【発明の効果】
以上説明したように、本発明によれば、利用者の公開レベルをもとに権限のある情報のリストのみをチェックして動的にメニュー生成して表示したり、権限のある情報の内容のみを抽出して表示したり、表示や提供した情報の部分のみを課金したり、関連情報のみを表示や提供する構成を採用しているため、情報をきめ細かく情報リスト、情報の内容、関連情報の内容を取り出して表示や提供、および課金を頁単位などの部分的に算出して請求することができるようになった。これらにより、
（１）  情報のリストについて、利用者が持つ公開レベルによって権限のある情報のリストのみを表示させることができるようになった。
【００８２】
（２）  権限のある情報のリストを表示する際に、動的にメニューを作成して利用者に情報リストを表示しているため、従来のように権限のない部分を空白にして非公開部分があることを知らせて不快感を与えることがなくなった。
【００８３】
（３）  情報のリストから選択した情報の内容のうち、権限のある情報の内容のみを抽出して表示するため、従来の権限のない情報の内容の部分を空白にしたときの不快感がなくなった。
【００８４】
（４）  情報の内容を表示したり、提供するときに部分的、例えば頁単位に課金を算出して請求でき、利用者にとって使いやすいデータベース８にできた。
【図面の簡単な説明】
【図１】本発明の原理ブロック図である。
【図２】本発明の動作説明フローチャートである。
【図３】本発明の情報のリストのチェックフローチャートである。
【図４】本発明の公開レベル例である。
【図５】本発明の利用者管理テーブル例である。
【図６】本発明の情報管理テーブル例である。
【図７】本発明の情報内容のチェックフローチャートである。
【図８】本発明のメニュー生成フローチャートである。
【図９】本発明の生成メニュー例である。
【図１０】本発明の内容表示および関連情報表示フローチャート（続く）である。
【図１１】本発明の内容表示および関連情報表示フローチャート（続き）である。
【図１２】本発明の情報データベース例である。
【図１３】本発明の表示画面例である。
【図１４】本発明の情報データベース例である。
【図１５】本発明の関連情報データベース例である。
【図１６】本発明の表示画面例である。
【図１７】本発明の関連情報表示画面例である。
【図１８】本発明の課金算出・提供フローチャートである。
【符号の説明】
１：センタ
２：管理装置
３：情報リストチェック手段
４：メニュー生成手段
５：内容チェック手段
６：課金手段
７：関連情報チェック手段
８：データベース
９：利用者管理テーブル
１０：情報管理テーブル
１１：端末
【図１】
0003677630.tif 000002
【図２】
0003677630.tif 000003
【図３】
0003677630.tif 000004
【図４】
0003677630.tif 000005
【図５】
0003677630.tif 000006
【図６】
0003677630.tif 000007
【図７】
0003677630.tif 000008
【図８】
0003677630.tif 000009
【図９】
0003677630.tif 000010
【図１０】
0003677630.tif 000011
【図１１】
0003677630.tif 000012
【図１２】
0003677630.tif 000013
【図１３】
0003677630.tif 000014
【図１４】
0003677630.tif 000015
【図１５】
0003677630.tif 000016
【図１６】
0003677630.tif 000017
【図１７】
0003677630.tif 000018
【図１８】
0003677630.tif 000019